(57)【要約】【課題】歩留りを向上させると共に、バイブレータ作動時の不快な雑音の発生を防止する。【解決手段】各キーボタン５ａは、開口３１ｅを拡開させた状態で、フランジ部５ｓが収納部に押し込まれることによって、シート状部材２３に取り付けられる。また、キーボタン５ａを引き上げる向きに所定以上の強さの外力が加わると、庇部３１ｃ及び壁部３１ｂは変形し、開口３１ｅが拡開され、キーボタン５ａは、ボタン取付部３１から取り外される。また、フランジ部５ｓと筐体２との間には、弾性体からなる庇部３１ｃが介在し、非押下時には、庇部３１ｃは、フランジ部５ｓ及びフロントケース２１に密着しているので、バイブレータ９作動時に、キーボタン５ａがフロントケース２１に断続的に当たって、不快な雑音が発生することを防止することができる。【選択図】  図２
2004221000.tif 000002
【特許請求の範囲】
【請求項１】
電子機器の入力装置を構成するキーシートであって、
外方に突出する被係止用の突起を下部に有する各種のキーボタンと、
これらのキーボタンを担持する弾性体シートであって、これらのキーボタンを、それぞれの固定位置にて係着する態様で、固定する係止部を有する担持シートとを備えてなることを特徴とするキーシート。
【請求項２】
前記キーボタンの下面周縁部には、前記被係止用の突起としてのフランジ部が突設され、
前記担持シートの前記係止部は、扁平な略環状に形成され、中央部に形成された係止部開口から前記キーボタンの先端部を露出させた状態で前記フランジ部の少なくとも周縁部を係止すると共に、前記担持シートの表面から立設された支持部によって支持されていることを特徴とする請求項１記載のキーシート。
【請求項３】
前記支持部は、前記フランジ部の側壁部を覆うように形成されていることを特徴とする請求項２記載のキーシート。
【請求項４】
前記担持シートは、前記担持シートの表面と前記支持部と前記係止部とによって断面コの字形に形成され前記フランジ部の少なくとも周縁部を収納する収納部を有し、
前記キーボタンは、前記係止部の前記係止部開口が拡開された状態で、前記収納部に圧入されると共に、前記収納部に収納された状態から所定の引張力で引き上げられることによって、前記係止部の前記係止部開口が拡開して、前記収納部から取り出されることを特徴とする請求項３記載のキーシート。
【請求項５】
前記キーボタンが前記電子機器の筐体に穿設されたキーボタン装着用の筐体開口から先端部が露出するように、かつ、少なくとも非押下時に前記フランジ部の表面が前記係止部の裏面に接触し、前記係止部の表面が前記筐体開口の縁部の裏面に接触するように、前記キーボタンが押下されることによって開閉が行われるスイッチが設けられた基板と前記筐体との間に挟まれた状態で、前記電子機器に実装されることを特徴とする請求項３又は４記載のキーシート。
【請求項６】
振動発生手段を備える前記電子機器の入力装置を構成することを特徴とする請求項１乃至５のいずれか１に記載のキーシート。
【請求項７】
振動発生手段を備える電子機器に設けられ、押下することでスイッチをオンとする各種のキーボタンが、担持シートに担持されてなるキーボタン取付構造であって、
前記各キーボタンの下部には被係止用の突起が外方に突設され、
前記担持シートは、前記キーボタンを担持する弾性体シートであって、前記キーボタンを、それぞれの固定位置にて係着する態様で、固定する係止部を有することを特徴とするキーボタン取付構造。
【請求項８】
前記キーボタンの下面周縁部には、前記被係止用の突起としてのフランジ部が突設され、
前記担持シートの前記係止部は、扁平な略角環状に形成され、中央部に形成された係止部開口から前記キーボタンの先端部を露出させた状態で前記フランジ部の少なくとも周縁部を係止すると共に、前記担持シートの表面から立設された支持部によって支持されていることを特徴とする請求項７記載のキーボタン取付構造。
【請求項９】
前記支持部は、前記フランジ部の側壁部を覆うように形成されていることを特徴とする請求項８記載のキーボタン取付構造。
【請求項１０】
前記担持シートは、前記担持シートの表面と前記支持部と前記係止部とによって断面コの字形に形成され前記フランジ部の少なくとも周縁部を収納する収納部を有し、
前記キーボタンは、前記係止部の前記係止部開口が拡開された状態で、前記収納部に圧入されると共に、前記収納部に収納された状態から所定の引張力で引き上げられることによって、前記係止部の前記係止部開口が拡開して、前記収納部から取り出されることを特徴とする請求項９記載のキーボタン取付構造。
【請求項１１】
前記キーボタンが前記電子機器の筐体に穿設されたキーボタン装着用の筐体開口から先端部が露出するように、かつ、少なくとも非押下時に前記フランジ部の表面が前記係止部の裏面に接触し、前記係止部の表面が前記筐体開口の縁部の裏面に接触するように、前記キーボタンが押下されることによって開閉が行われるスイッチが設けられた基板と前記筐体との間に挟まれた状態で、前記キーボタンを担持した前記担持シートが、前記電子機器に実装されてなっていることを特徴とする請求項９又は１０記載のキーボタン取付構造。
【請求項１２】
請求項７乃至１１のいずれか１に記載のキーボタン取付構造を備えた電子機器であって、
前記振動発生手段が発生させた振動によって所定の通知がなされることを特徴とするキーボタン取付構造を備えた電子機器。
【発明の詳細な説明】
【０００１】
【発明の属する技術分野】
この発明は、例えば、バイブレータが設けられた携帯電話機等の電子機器の操作部において用いられるキーシート、キーボタン取付構造及び該構造を備えた電子機器に関する。
【０００２】
【従来の技術】
従来より、携帯型の電子機器としての携帯電話機等は、操作面に多数のキーボタンを有し、組立ての際は、これらのキーボタンを予めシート上に配設して、キーシートとし、このキーシートを扱うことによって、容易に組立てが行うことができるようになされている。
すなわち、図７に示すように、携帯電話機１０１において、操作部１０２は、例えば数字等を入力するためのテンキー等の合成樹脂製の多数のキーボタン１０３、１０３、…が、例えば合成ゴム製のシート部材１０４上の所定の位置に接着剤１０５を用いて固定されてなるキーシート１０６が、ドーム状に突起した金属板接点１０７を有するスイッチ１０８等の部品が搭載された基板１０９上に配置されて構成されている。
各キーボタン１０３は、その周縁部に、非押下状態で、筐体１１０のキーボタン１０３の先端部を露出させるための開口部１１０ａの縁部の裏面１１０ｂに、その上面が接触される鍔状に突起したフランジ部１０３ａを有している。
【０００３】
シート部材１０４は、各キーボタン１０３を載置するボタン載置部１０４ａと、各ボタン載置部１０４ａに背向する裏面の中央部に形成され金属板接点１０７を押下するためのスイッチ作動用突起部１０４ｂと、シート部材１０４の周縁部に形成されたシール部１０４ｃとを有している。
シール部１０４ｃの突起部１０４ｐ、１０４ｑは、それぞれ、筐体１１０の裏面、及び基板１０９に密着され、各キーボタン１０３と筐体１１０との間の隙間等からの水等の浸入を遮断する密閉性が確保されている。
【０００４】
スイッチ１０８は、直上の対応するキーボタン１０３が押下されることによって、金属板接点１０７にスイッチ作動用突起部１０４ｂが押し付けられ、金属板接点１０７が平坦化されて、例えばオン状態とされる。キーボタン１０３の押圧力が除かれると、シート部材１０４及び金属板接点１０７の復元力によって、スイッチ作動用突起部１０４ｂは元の位置に戻され、金属板接点１０７も元のドーム形状に戻り、例えばオフ状態とされる。
また、非押下状態では、各キーボタン１０３のフランジ部１０３ａの上面と、筐体１１０の開口部１１０ａの縁部の裏面とは接触している。
【０００５】
しかしながら、キーボタン１０３、１０３、…は、シート部材１０４に接着剤によって、固定されているので、キーボタン１０３に１つでも不具合が生じていると全体を廃棄しなければならなかった。
例えば、キーボタン１０３の製造工程のうち、加工工程で糸けばが生じていたり、印刷及び塗装を含む加飾工程で、インクにごみが混入されたまま印刷を行って汚れが固着してしまったり、さらに、キーボタン１０３をシート部材１０４に接着する工程で、色違いのキーボタン１０３が接着されてしまっていた場合は、全体を廃棄しなければならなかった。
したがって、歩留まりが悪化するという問題があった。また、単体としては良品であっても廃棄されるキーボタン１０３が増加することによって、所要の生産数を確保することが困難となることがあった。
【０００６】
また、携帯電話機１０１の操作部１０２では、キーボタン１０３と筐体１１０とが接触した構造となっており、部品の寸法（例えばキーボタン１０３の大きさや筐体１１０の開口１１０ａの大きさ等）のばらつきによって、非押下時であっても、キーボタン１０３と筐体１１０とが離反している箇所や、接触している箇所が生じる。
このため、この携帯電話機にバイブレータ（不図示）が設けられた場合で、例えば、電車内でスピーカから音声を出力させないようにするマナーモードが設定され、着信音（呼出し音）の代わりに振動によって着信を通知するようにしたときに、バイブレータが駆動すると、キーボタン１０３のフランジ部１０３ａが筐体１１０の縁部の裏面に断続的にぶつかることによって、耳障りで不快な雑音（びりつき音）が発生し、操作者本人はもとより、マナーモードに設定していても周囲の者に対して不快感を与えてしまうという問題があった。
【０００７】
接着剤を用いずに、例えば、キーボタンの裏面側に凹部を設け、シート部材の表面側にキーボタンに凹部に嵌合する凸部を設け、凹部と対応する凸部とを嵌合させることによって、キーボタンをシート部材に取り付けるようにした技術が提案されている（例えば、特許文献１参照）。ここで、キーボタンは、フランジ部が筐体の開口の縁部に係止されることによって抜落ちが防止されている。
また、弾性体からなるシート部材上に、キーボタンの位置決め機能を兼ねる壁部で囲まれた載置部を形成し、この載置部にキーボタンを圧入して、キーボタンをシート部材に固定すると同時に、壁部の上端面に筐体の裏面を当接させるようにした技術が提案されている（例えば、特許文献２参照）。この技術では、キーボタン非押下時には、弾性体ならなる壁部の上端面は筐体の裏面に接触しているので、雑音発生の防止が図られる。
また、図８及び図９に示すように、携帯電話機２０１の操作部２０２において、フランジ部を廃したキーボタン２０３を用い、キーボタン２０３が接着されたキーボタン用シート２０４を、スイッチ作動用の突起２０５ａを有するゴム製のシート部材２０５の上方に配置し、キーボタン用シート２０４の上方からキーパット用カバー２０６でキーボタン２０３の操作面を除いて覆うようにした技術が提案されている（例えば、特許文献３参照）。
【０００８】
【特許文献１】
特開昭６３−７６５４８号公報
【特許文献２】
特開平６−２８９４６号公報
【特許文献３】
特開２００１−１４８７２６号公報
【０００９】
【発明が解決しようとする課題】
しかしながら、従来の、例えば特許文献１記載の技術では、雑音発生の問題が解消されていない。
また、特許文献２記載の技術では、例えば携帯電話機等の電子機器を組み立てる際に、キーボタンが脱落してしまい易く、円滑に組み立てることができないという問題があった。
また、特許文献３記載の技術では、キーボタン２０３をキーボタン用シート２０４に接着しているので、上述した歩留りが悪化する問題は解消されていない。また、筐体２０７とは別にキーパット用カバー２０６を設けるために、構成部品及び工程数が増加して製造コストが増大する上に、割線Ｌが形成されデザイン上の制約を受けるという問題があった。
このように、従来技術では、歩留りの悪化及び雑音の発生の防止を、電子機器の円滑な組立てに寄与しつつ低コストで同時に実現することが困難であった。
【００１０】
この発明は、上述の事情に鑑みてなされたもので、円滑な電子機器の組立てに寄与しつつ、歩留りを向上させることができると共に、バイブレータ作動時の不快な雑音の発生を防止することができるキーシート、キーボタン取付構造及び該構造を備えた電子機器を低コストで提供することを目的としている。
【００１１】
【課題を解決するための手段】
上記課題を解決するために、請求項１記載の発明は、電子機器の入力装置を構成するキーシートに係り、外方に突出する被係止用の突起を下部に有する各種のキーボタンと、これらのキーボタンを担持する弾性体シートであって、これらのキーボタンを、それぞれの固定位置にて係着する態様で、固定する係止部を有する担持シートとを備えてなることを特徴としている。
【００１２】
請求項２記載の発明は、請求項１記載のキーシートに係り、上記キーボタンの下面周縁部には、上記被係止用の突起としてのフランジ部が突設され、上記担持シートの上記係止部は、扁平な略環状に形成され、中央部に形成された係止部開口から上記キーボタンの先端部を露出させた状態で上記フランジ部の少なくとも周縁部を係止すると共に、上記担持シートの表面から立設された支持部によって支持されていることを特徴としている。
【００１３】
請求項３記載の発明は、請求項２記載のキーシートに係り、上記支持部は、上記フランジ部の側壁部を覆うように形成されていることを特徴としている。
【００１４】
請求項４記載の発明は、請求項３記載のキーシートに係り、上記担持シートは、上記担持シートの表面と上記支持部と上記係止部とによって断面コの字形に形成され上記フランジ部の少なくとも周縁部を収納する収納部を有し、上記キーボタンは、上記係止部の上記係止部開口が拡開された状態で、上記収納部に圧入されると共に、上記収納部に収納された状態から所定の引張力で引き上げられることによって、上記係止部の上記係止部開口が拡開して、上記収納部から取り出されることを特徴としている。
【００１５】
請求項５記載の発明は、請求項３又は４記載のキーシートに係り、上記キーボタンが上記電子機器の筐体に穿設されたキーボタン装着用の筐体開口から先端部が露出するように、かつ、少なくとも非押下時に上記フランジ部の表面が上記係止部の裏面に接触し、上記係止部の表面が上記筐体開口の縁部の裏面に接触するように、上記キーボタンが押下されることによって開閉が行われるスイッチが設けられた基板と上記筐体との間に挟まれた状態で、上記電子機器に実装されることを特徴としている。
【００１６】
請求項６記載の発明は、請求項１乃至５のいずれか１に記載のキーシートに係り、振動発生手段を備える上記電子機器の入力装置を構成することを特徴としている。
【００１７】
請求項７記載の発明は、振動発生手段を備える電子機器に設けられ、押下することでスイッチをオンとする各種のキーボタンが、担持シートに担持されてなるキーボタン取付構造に係り、上記各キーボタンの下部には被係止用の突起が外方に突設され、上記担持シートは、上記キーボタンを担持する弾性体シートであって、上記キーボタンを、それぞれの固定位置にて係着する態様で、固定する係止部を有することを特徴としている。
【００１８】
請求項８記載の発明は、請求項７記載のキーボタン取付構造に係り、上記キーボタンの下面周縁部には、上記被係止用の突起としてのフランジ部が突設され、上記担持シートの上記係止部は、扁平な略角環状に形成され、中央部に形成された係止部開口から上記キーボタンの先端部を露出させた状態で上記フランジ部の少なくとも周縁部を係止すると共に、上記担持シートの表面から立設された支持部によって支持されていることを特徴としている。
【００１９】
請求項９記載の発明は、請求項８記載のキーボタン取付構造に係り、上記支持部は、上記フランジ部の側壁部を覆うように形成されていることを特徴としている。
【００２０】
請求項１０記載の発明は、請求項９記載のキーボタン取付構造に係り、上記担持シートは、上記担持シートの表面と上記支持部と上記係止部とによって断面コの字形に形成され上記フランジ部の少なくとも周縁部を収納する収納部を有し、上記キーボタンは、上記係止部の上記係止部開口が拡開された状態で、上記収納部に圧入されると共に、上記収納部に収納された状態から所定の引張力で引き上げられることによって、上記係止部の上記係止部開口が拡開して、上記収納部から取り出されることを特徴としている。
【００２１】
請求項１１記載の発明は、請求項９又は１０記載のキーボタン取付構造に係り、上記キーボタンが上記電子機器の筐体に穿設されたキーボタン装着用の筐体開口から先端部が露出するように、かつ、少なくとも非押下時に上記フランジ部の表面が上記係止部の裏面に接触し、上記係止部の表面が上記筐体開口の縁部の裏面に接触するように、上記キーボタンが押下されることによって開閉が行われるスイッチが設けられた基板と上記筐体との間に挟まれた状態で、上記キーボタンを担持した上記担持シートが、上記電子機器に実装されてなっていることを特徴としている。
【００２２】
請求項１２記載の発明は、請求項７乃至１１のいずれか１に記載のキーボタン取付構造を備えた電子機器に係り、上記振動発生手段が発生させた振動によって所定の通知がなされることを特徴としている。
【００２３】
【発明の実施の形態】
以下、図面を参照して、この発明の実施の形態について説明する。説明は、実施例を用いて具体的に行う。
◇実施例
図１は、この発明の一実施例である携帯電話機の構成を示す斜視図、図２は、図１のＡ−Ａ線に沿った断面図、図３は、同携帯電話機の構成を示すブロック図、図４は、同携帯電話機の操作部のキーシートの構成を示す分解斜視図、図５は、同キーシートの構成を示す斜視図、図６は、同キーシートの組立方法を説明するための工程図である。
【００２４】
この例の携帯電話機（電子機器）１は、図１乃至図３に示すように、内部に部品を格納して保護する折畳可能な筐体２を備えると共に、当該携帯電話機本体の構成各部を制御する制御部３と、制御部３が実行する処理プログラムや各種データ等を記憶するための記憶部４と、折畳時に内側となる側に配設され、数字や文字の入力操作等を行うための多数のキーボタン５ａ、５ａ、…等を有する操作部（入力装置）５と、無線電波の送受信を行うアンテナ６と、アンテナ６を介して無線電波を送受信し所定のプロトコルに従って通話やデータ通信を行うために用いられる無線通信部７と、液晶表示装置からなる表示部８と、振動によって例えば着信を通知するためのバイブレータ（振動発生手段）９と、バイブレータ９を駆動するためのバイブレータ駆動部１１と、着信音を出力するリンガー発生器１２と、リンガー発生器１２を駆動するためのリンガー駆動部１３と、受話音声を出力するスピーカ１４と、送話音声を入力するマイクロフォン１５とを備えている。
【００２５】
筐体２は、図１及び図２に示すように、ヒンジ部１７で相互に結合された上側筐体１８と下側筐体１９とからなり、ヒンジ部１７は、上側筐体１８と下側筐体１９とを回動自在に結合して当該携帯電話機１に折畳可能な構造を付与している。
下側筐体１９は、共に例えば合成樹脂成型品からなるフロントケース２１とリアカバー２２とから構成され、フロントケース２１には、各キーボタン５ａの先端部を露出させるための開口（筐体開口）２１ａが形成されている。
【００２６】
制御部３は、ＣＰＵ（中央処理装置）等からなり、例えば、所定の電話番号に対する発呼処理等を行うための通信制御プログラムや、操作部５の各種キーボタン５ａからの入力情報を処理する操作制御プログラム、表示部８を制御するための表示制御プログラム、マナーモードが設定された際の着信時にバイブレータ９を駆動させるためのバイブレータ制御プログラム等の記憶部４に記憶された各種処理プログラムを実行し、記憶部４に確保された各種レジスタやフラグを用いて、構成各部を制御し、通信制御処理や、操作制御処理、表示制御処理、バイブレータ制御処理等を行う。
記憶部４には、ＲＯＭ、ＲＡＭ等の半導体メモリからなり、制御部３が実行する通信制御処理プログラムや、操作制御プログラム、表示制御プログラム、バイブレータ制御プログラム等の各種処理プログラムや、各機能の設定情報や通信履歴情報、電話帳情報等の各種情報が記憶されていると共に、制御部３がプログラム実行時に用いる各種レジスタやフラグが確保されている。
【００２７】
操作部５は、図１、図２、図４及び図５に示すように、下側筐体１９に実装され、例えば数字等を入力するためのテンキー等の合成樹脂製の多数のキーボタン５ａ、５ａ、…が、例えば合成ゴム等の弾性体からなるシート状部材（担持シート）２３に取り付けられてなるキーシート２４が、ドーム状に突起しスイッチ２５を構成する金属板接点２６が絶縁性シート２７の裏面側に設けられてなるメタルドームシート２８を介して、各種電子部品が搭載された基板２９上に配置されて構成されている。
ここで、キーボタン５ａの押下によってドーム状の金属板接点２６が変形してクリック感が操作者の指先に与えられ、これによって、操作者は、操作が確実に行われたことを認識する。
【００２８】
なお、基板２９は、リアカバー２２に設けられたリブ２２ａによって位置決めされた状態で支持されて筐体２内に格納されている。
また、各キーボタン５ａは、扁平な柱状の本体部５ｔと、本体部５ｔの下部の周縁に設けられ鍔状に突起したフランジ部（突起）５ｓとを有し、フランジ部５ｓの上面は、非押下状態で、フロントケース２１の開口２１ａの縁部の裏面に表面が接触している後述する庇部３１ｃの裏面に接触して、上方への飛出し（抜落ち）が防止される。
【００２９】
シート状部材２３は、図２，図４及び図５に示すように、各キーボタン５ａを圧入によって着脱自在に取り付けるためのボタン取付部３１と、各ボタン取付部３１の裏面の中央部に形成され金属板接点２６を押下するためのスイッチ作動用突起部３２と、当該シート状部材２３の周縁部に、キーボタン５ａ、５ａ、…の配置領域を囲むように設けられ、シート状部材２３本体と基板３１との間の離隔を保つと共に外部からの水分や塵埃等の基板２９内への侵入を防ぐ防水防塵機能を担う周縁シール部３３とを有している。周縁シール部３３の突起部３３ａ、３３ｂは、それぞれ、フロントケース２１の裏面、及び基板２９の表面に密着され、各キーボタン５ａと筐体２との間の隙間等からの水等の浸入を遮断する密閉性が確保されている。
また、シート状部材２３は、キーボタン５ａ非押下時には、ボタン取付部３１や周縁シール部３３において、フロントケース２１の裏面に弾性体からなるシート状部材２３自身を押し付けることによって、バイブレータ９駆動の際に、例えば硬質材同士の断続的な接触の繰返しによって発生したような不快な雑音（びりつき音）を防止する雑音発生防止機能を担っている。
【００３０】
ボタン取付部３１は、シート状部材本体の上面に設けられ、各キーボタン５ａを載置する載置面３１ａと、載置面３１ａの周縁にキーボタン５ａのフランジ部５ｓの側端面を取り囲むように断面略角環状に立設され、キーボタン５ａの位置決め機能を有する壁部（支持部）３１ｂと、壁部３１ｂの上部から内部側（本体部５ｔ側）に、フランジ部５ｓの上面の周縁側を覆うように突設され、裏面（下面）がフランジ部５ｓの表面（上面）を抑えることによってキーボタン５ａを係止する係止機能（抜止機能）を有する庇部（係止部）３１ｃとを備えると共に、載置面３１ａと壁部３１ｂと庇部３１ｃとによって内部にフランジ部５ｓを収納する断面コの字形の収納部３１ｄが形成され、かつ、庇部３１ｃの内部側にはキーボタン５ａの本体部５ｔの先端部を露出させるための矩形状の開口（係止部開口）３１ｅが形成されてなっている。
【００３１】
ここで、ボタン取付部３１において、開口３１ｅの大きさは、開口２１ａの大きさよりも若干大きく設定され、庇部３１ｃは、裏面がフランジ部５ｓ表面の周縁部に当接するように形成されている。また、壁部３１ｂは、内壁面がフランジ部５ｓの側端面に当接するように形成されている。
各キーボタン５ａは、開口３１ｅを拡開させた状態で、フランジ部５ｓが収納部３１ｄに押し込まれることによって、すなわち、ボタン取付部３１に圧入されることによって、シート状部材２３に取り付けられる。
【００３２】
ここで、キーボタン５ａを取り外すようにキーボタン５ａを引き上げる向きに外力が加わると、開口３１ｅが拡開するように庇部３１ｃが変形し、庇部３１ｃの元の状態に戻ろうとする復元力によって、フランジ部５ｓが抑えられて、キーボタン５ａの抜落ちが防止される。
携帯電話機１では、このフランジ部５ｓを抑える力によって、キーボタン５ａをシート状部材２３に取り付けてキーシート２４を組み立てた後、当該携帯電話機１を組み立てる過程で、このキーシート２４を取り扱う際に、また、操作者（ユーザ）が携帯電話機１を使用する際に、キーボタン５ａが容易に外れないようにされている。
【００３３】
また、例えば筐体２に組み込む前に、キーシート２４において、キーボタン５ａを引き上げる向きに所定の強さ以上の外力が加わると、フランジ部５ｓの周縁部がボタン取付部３１の庇部３１ｃを押し上げ、庇部３１ｃ及び壁部３１ｂを変形させて開口３１ｅを拡開させ、フランジ部５ｓが収納部３１ｄの外部に出され、キーボタン５ａは、ボタン取付部３１から、すなわちシート状部材２３から取り外される。
スイッチ２５は、直上の対応するキーボタン５ａが押下されることによって、金属板接点２６にスイッチ作動用突起部３２が押し付けられ、金属板接点２６が平坦化されて、例えばオン状態とされる。キーボタン５ａの押圧力が除かれると、シート状部材２３及び金属板接点２６の復元力によって、スイッチ作動用突起部３２は元の位置に戻され、金属板接点２６も元のドーム形状に戻り、例えばオフ状態とされる。
【００３４】
この例の携帯電話機１を組み立てるには、まず、フロントケース２１に、各開口２１ａから対応するキーボタン５ａの本体部５ｔが露出するように、シート状部材２３の各ボタン取付部３１にキーボタン５ａが取り付けられてなるキーシート２４を組み込む。
シート状部材２３にキーボタン５ａを取り付けるには、図６（ａ）に示すように、キーボタン５ａを対応するボタン取付部３１上方に配置した後、同図（ｂ）に示すように、庇部３１ｃ及び壁部３１ｂを開口３１ｅが拡開されるように変形させた状態で、フランジ部５ｓを収納部３１ｄに押し込む。すなわち、ボタン取付部３１に圧入する。これによって、同図（ｃ）に示すように、キーボタン５ａは、シート状部材２３に取り付けられる。
【００３５】
ここで、キーボタン５ａを取り外すようにキーボタン５ａを引き上げる向きに外力が加わると、開口３１ｅが拡開するように庇部３１ｃが変形し、庇部３１ｃの元の状態に戻ろうとする復元力によって、フランジ部５ｓが抑えられて、キーボタン５ａの抜落ちが防止される。
このフランジ部５ｓを抑える力によって、例えば接着剤を用いてキーボタン５ａがシート状部材２３に接着されていなくても、キーボタン５ａはシート状部材２３に固定され、例えば、キーボタン５ａをシート状部材２３に取り付けてキーシート２４を組み立てた後、当該携帯電話機１を組み立てる過程で、このキーシート２４を取り扱う際に、キーボタン５ａが容易に外れることはない。
【００３６】
また、例えば筐体２に組み込む前に、キーボタン５ａを取り外す場合は、シート状部材２３を抑えた状態で、キーボタン５ａを引き上げる向きに所定の強さ以上の外力を加える。これによって、フランジ部５ｓの周縁部がボタン取付部３１の庇部３１ｃを押し上げ、庇部３１ｃ及び壁部３１ｂは変形し、開口３１ｅが拡開される。引き続き外力が加わることによって、フランジ部５ｓが収納部３１ｄの外部に出され、キーボタン５ａは、ボタン取付部３１から、すなわちシート状部材２３から取り外される。このように、必要に応じてキーボタン５ａを取り出すことができる。
【００３７】
次に、絶縁性シート２７の裏面に金属板接点２６が設けられてなるメタルドームシート２８を介して、各種電子部品が搭載された基板２９を、キーシート２４の裏面側からフロントケース２１に組み込む。ここで、キーシート２４は、基板２９に対して、絶縁性シート２７を介して、周縁シール部３３の突起部３３ｂを押し当てた状態で配置される。
次に、キーシート２４を基板２９とフロントケース２１との間に挟んだ状態で、フロントケース２１とリアカバー２２との嵌合により、又は雌ねじや雄ねじ等の固定具による締め付けによって、基板２９は、フロントケース２１側に押し付けられる。
これによって、シート状部材２３は、フロントケース２１と基板２９との間に挟み付けられ、特に庇部３１ｃが圧縮変形されて、フランジ部５ｓ及びフロントケース２１に密着した状態で、固定される。
【００３８】
こうして組み立てられた携帯電話機１において、例えばマナーモードに設定されている場合に、着信があると、制御部３は、バイブレータ駆動部１１を制御してバイブレータ９を作動させる。
ここで、バイブレータ９の振動がフロントケース２３等に伝達されても、各キーボタン５ａのフランジ部５ｓの表面は、庇部３１ｃの裏面に接触し、この庇部３１ｃは、フロントケース２３の裏面に接触しているので、キーボタン５ａが直接フロントケース２１に当たって雑音（びりつき音）が発生するようなことは回避される。
また、操作時に、キーボタン５ａを押下し、押圧力を解除した後に、キーボタン５ａが直接フロントケース２１に当たって大きな操作音が発生するようなことが回避される。
【００３９】
この例の構成によれば、キーボタン５ａは、接着剤を用いることなく、シート状部材２３の各ボタン取付部３１に圧入されることによって着脱自在に取り付けられているので、取付け後、不良品のキーボタン５ａが取り付けられていたり、誤ったキーボタン５ａが取り付けられていることが判明しても、該当するキーボタン５ａのみ取り替えればよく、キーシート２４全体を交換する必要はないので、歩留りを向上させることができる。
したがって、良品のキーボタン５ａを無駄にすることがなく、所要の生産数を確保できないようなことを回避することができる。また、無駄な工程を削減することができるので、製造コストを低減することができる。
【００４０】
また、キーシート２４を筐体２に組み込む際に、キーボタン５ａが脱落することがないので、簡単、円滑かつ迅速な携帯電話機の組立てに寄与することができる。
また、キーボタン５ａのフランジ部５ｓと、筐体２の間には、弾性体からなるシート状部材２３の庇部３１ｃが介在し、非押下時には、庇部３１ｃは、フランジ部５ｓ及びフロントケース２１に密着しているので、バイブレータ９作動時に、キーボタン５ａがフロントケース２１に断続的に当たって、不快な雑音（びりつき音）が発生することを防止することができる。
ここで、キーボタン５ａやフロントケース２１等の構成部品の寸法誤差にかかわらず、隙間が生じることはないので、例えば加工精度が高くなくても確実に不快な雑音が発生することを防止することができる。
しかも、この雑音防止の目的のために、構成部品を増加させたり、工程数を増加させたりする必要がないので、コストが嵩むこともない。
【００４１】
また、デザイン上の制約を受けることもなく、構成部品及び工程数が増加することもない。
また、接着剤を用いないので、キーシート２４を廃棄し、例えば焼却処分する際に、この接着剤に起因した有毒ガスの発生等を抑制でき、環境に対する悪影響を排除することができる。
また、キーボタン５ａをシート状部材２３から簡単に分離できることにより、リサイクルが可能となる。
また、キーボタン５ａは着脱自在であるので、ユーザの好みに応じて、所定の仕様で加飾されたキーボタン５ａに取り替えることができる。
【００４２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、電子機器として携帯電話機に適用する場合について述べたが、携帯電話機に限らず、バイブレータを備えた、例えば、簡易型携帯電話（ＰＨＳ）端末や、携帯情報端末（ＰＤＡ）、デジタルカメラ等の携帯型の電子機器に適用することができる。
【００４３】
また、上述した実施例では、支持部としての壁部３１ｂをキーボタン５ａのフランジ部５ｓの側端面を取り囲むように全周に亘って形成する場合について述べたが、係止部を支持することができれば、例えば、四隅に柱状の支持部を設けるようにしても良い。この場合、ボタン取付部３１の庇部３１ｃの内縁部（開口３１ｅの縁部）にキーボタン５ａの本体部５ｔが制止されることによって、キーボタン５ａの載置面３１ａに沿った変位は制限され、さらに、庇部３１ｃによってフランジ部５ｓが係止とされて、キーボタン５ａの抜落ちが防止される。したがって、携帯電話機等の組立時に、キーシートを容易に取扱うことができ、組立てを迅速に行うことができる。
【００４４】
また、壁部を全周に亘って形成するのに代えて、フランジ部５ｓの例えば長辺側にのみ壁部を形成して短辺側を切り欠くと共に、本体部５ｔの高さを比較的低く設定しておいて、載置面３１ａに沿ってフランジ部５ｓの短辺側からキーボタン５ａを押し込むようにしても良い。
また、上述した実施例では、まず、キーシート２４を作成した後に、このキーシート２４を筐体２に取り付ける場合について述べたが、筐体２にシート状部材２３を取り付けた後に、キーボタン５ａをシート状部材２３のボタン取付部３１に圧入するようにしても良い。
【００４５】
【発明の効果】
以上説明したように、この発明の構成によれば、キーボタンは、接着剤を用いることなく、担持シートに係着されることによって着脱自在に取り付けられているので、取付け後、例えば、不良品のキーボタンが取り付けられていたり、誤ったキーボタンが取り付けられていることが判明しても、該当するキーボタンのみ取り替えればよく、キーシート全体を交換する必要はないので、歩留りを向上させることができる。
したがって、良品のキーボタンを無駄にすることがなく、所要の生産数を確保できないようなことを回避することができる。また、無駄な工程を削減することができるので、製造コストを低減することができる。
また、キーシートを筐体に組み込む際に、キーボタンが脱落することがないので、簡単、円滑、かつ迅速な電子機器の組立てに寄与することができる。
【００４６】
また、キーボタンのフランジ部と、筐体の間には、弾性体からなる担持シートの係止部が介在し、非押下時には、係止部は、フランジ部及び筐体に密着しているので、振動発生手段作動時に、キーボタンが筐体に断続的に当たって、不快な雑音（びりつき音）が発生することを防止することができる。
ここで、例えばキーボタンやフロントケース等の構成部品の寸法誤差にかかわらず、隙間が生じることはないので、例えば加工精度が高くなくても確実に不快な雑音が発生することを防止することができる。
しかも、この雑音防止の目的のために、構成部品を増加させたり、工程数を増加させたりする必要がないので、コストが嵩むこともない。
【図面の簡単な説明】
【図１】この発明の一実施例である携帯電話機の構成を示す斜視図である。
【図２】図１のＡ−Ａ線に沿った断面図である。
【図３】同携帯電話機の構成を示すブロック図である。
【図４】同携帯電話機の操作部のキーシートの構成を示す分解斜視図である。
【図５】同キーシートの構成を示す斜視図である。
【図６】同キーシートの組立方法を説明するための工程図である。
【図７】従来技術を説明するための説明図である。
【図８】従来技術を説明するための説明図である。
【図９】従来技術を説明するための説明図である。
【符号の説明】
１      携帯電話機（電子機器）
２      筐体
５      操作部（入力装置）
５ａ      キーボタン
５ｓ      フランジ部（突起）
９      バイブレータ（振動発生手段）
２１      フロントケース
２１ａ      開口（筐体開口）
２２      リアカバー
２３      シート状部材（担持シート）
２４      キーシート
２９      基板
３１      ボタン取付部
３１ａ      載置面
３１ｂ      壁部（支持部）
３１ｃ      庇部（係止部）
３１ｄ      収納部
３１ｅ      開口（係止部開口）
【図１】
2004221000.tif 000003
【図２】
2004221000.tif 000004
【図３】
2004221000.tif 000005
【図４】
2004221000.tif 000006
【図５】
2004221000.tif 000007
【図６】
2004221000.tif 000008
【図７】
2004221000.tif 000009
【図８】
2004221000.tif 000010
【図９】
2004221000.tif 000011